(57)【要約】【課題】仮止め位置で係止部材が安定的に保持し得るようにすると共に各係止部材を仮止め位置へ簡単に設定できるようにして、例えば、機構板を遊技盤の裏面へ重合する際に係止部材が機構板に衝突するという事態を未然に防止するようにした弾球遊技機を提供する。【解決手段】遊技盤取付枠４に接離自在に重合される機構板７を該遊技盤取付枠４に係止固定する係止構造１９を備えた弾球遊技機Ｐであって、係止構造１９は遊技盤取付枠４に設けられる支持部材２０と該支持部材２０に軸着され機構板７をその裏面で係止する係止部材２１とからなり、支持部材２０と係止部材２１との間に設けられる適宜停止手段２４，３２により機構板７が遊技盤取付枠４に重合する前に係止部材２１を所定の仮止め位置で安定的に保持し得るようにした構成からなる。【選択図】図３
2006014870.tif 000002
【特許請求の範囲】
【請求項１】
固定体に接離自在に重合される可動体を該固定体に係止固定する係止構造を備えた弾球遊技機であって、前記係止構造は前記固定体に設けられる支持部材と該支持部材に軸着され前記重合面と平行な面内で自在に回動して前記可動体をその外面で係止する係止部材とからなり、前記支持部材と前記係止部材との間に設けられる適宜停止手段により前記可動体が前記固定体に重合する前に前記係止部材を所定の仮止め位置で安定的に保持し得るようにしたことを特徴とする弾球遊技機。
【請求項２】
遊技盤取付枠に接離自在に重合される機構板を該遊技盤取付枠に係止固定する係止構造を備えた弾球遊技機であって、前記係止構造は前記遊技盤取付枠に設けられる支持部材と該支持部材に軸着され前記重合面と平行な面内で自在に回動して前記機構板をその裏面で係止する係止部材とからなり、前記支持部材と前記係止部材との間に設けられる適宜停止手段により前記機構板が前記遊技盤取付枠に重合する前に前記係止部材を所定の仮止め位置で安定的に保持し得るようにしたことを特徴とする弾球遊技機。
【請求項３】
前記支持部材に軸ピンが突設されると共に前記係止部材には該軸ピンに嵌着される嵌着筒部が設けられ、前記適宜停止手段は、前記係止部材が所定の仮止め位置で安定的に保持し得るように、前記軸ピンの外周面にその中心軸と平行に設けられる突条と、前記嵌着筒部の内周面にその中心軸と平行に設けられ前記突条が嵌合し得る凹溝とからなる請求項１又は２記載の弾球遊技機。
【発明の詳細な説明】
【技術分野】
【０００１】
この発明は、固定体に接離自在に重合される可動体を該固定体に係止固定する係止構造を使って、例えば、遊技盤取付枠に機構板を係止固定するようにした弾球遊技機に関するものである。
【背景技術】
【０００２】
弾球遊技機の一種であるパチンコ遊技機であって、出願人の出願したものとして次のようなパチンコ遊技機がある。すなわち、このパチンコ遊技機は、前面枠の裏面に遊技盤が嵌入固定される方形状の遊技盤取付枠が設けられると共にその一側に遊技盤の裏面を覆う機構板が開閉自在に軸着されいる。また、前記機構板は、遊技盤取付枠の上辺部および側辺部に配置される係止構造により遊技盤の裏面、すなわち、遊技盤取付枠に圧接固定されるようになっている。
【０００３】
前記係止構造は、前記遊技盤取付枠の裏面から後方へ突出する軸ピンと、該軸ピンに軸着され前記遊技盤の裏面に重合した機構板の裏面に回動位置して機構板を圧接する係止部材とからなる。一方、前記機構板には、各係止構造に対応位置して、機構板が遊技盤の裏面に重合したとき、各軸ピンが嵌入し各係止部材が機構板の裏側へ突出する開口部が設けられている。各開口部は、その幅が軸ピンの外径寸法とほぼ同じに設定され、しかも、遊技盤取付枠の上辺部側と側辺部側とではそれぞれ向きが異なるように成形されている。これは、各軸ピンが各開口部に嵌入したままで機構板が組立ライン上で衝撃を受けても、各開口部の向きがそれぞれ異なることから、各軸ピンが各開口部から抜け難く、これにより機構板が係止部材で係止するまでしっかりと保持され組立ラインから落下しないようにして組立作業に支障を来さないようにするためである。そして、係止部材を機構板の裏面に回動して係止させることにより、機構板を固定するようにしている（例えば、特許文献１参照。）。
【特許文献１】特開２００４−１２１６７３号公報（第３−４頁、図２）
【発明の開示】
【発明が解決しようとする課題】
【０００４】
ところで、遊技盤取付枠に遊技盤を装着すると共にその裏側に機構板を重合して固定する際、遊技盤取付枠の適宜位置に取り付けられた複数の係止構造のうち、軸ピンが該軸ピンの外径とほぼ同じ狭い幅の開口部に嵌入することから、機構板を重合する前に各軸ピンに軸着されている係止部材が各開口部に合致するように位置を揃えておく必要が有る。ところが、各係止部材を急いで目視により各開口部に合致させるのは面倒であって簡単ではない。
【０００５】
仮に、開口部に対する係止部材の位置がずれていると、機構板を重合するとき、その縁部が係止部材に当って該係止部材又は機構板が破損する危険性がある。特に、このような組付け作業は流れ作業的に行なわれることが多く、ともすると、ずさんに扱われ係止部材または機構板が破損してこれらを交換しなくてはならない事態が生ずる。このようなことは、経済的損失であり、しかも、これら破損した部品の交換のために余分な手間を強いられるという課題がある。
【０００６】
そこで、本発明は上記課題を解決すべくなされたもので、開口部の位置に合わせあらかじめ決めた仮止め位置で係止部材が安定的に保持し得る構成を採り、各係止部材を仮止め位置へ簡単に設定できるようにして、例えば、機構板を遊技盤の裏面へ重合する際に、係止部材が機構板に衝突し係止部材又は機構板が破損するという事態を未然に防止するようにした弾球遊技機を提供することを目的とするものである。
【課題を解決するための手段】
【０００７】
かかる目的を達成するため本発明の弾球遊技機は、固定体に接離自在に重合される可動体を該固定体に係止固定する係止構造を備えた弾球遊技機であって、前記係止構造は前記固定体に設けられる支持部材と該支持部材に軸着され前記重合面と平行な面内で自在に回動して前記可動体をその外面で係止する係止部材とからなり、前記支持部材と前記係止部材との間に設けられる適宜停止手段により前記可動体が前記固定体に重合する前に前記係止部材を所定の仮止め位置で安定的に保持し得るようにした構成からなる。
【０００８】
また、本発明に係る弾球遊技機は、具体的には例えば、遊技盤取付枠に接離自在に重合される機構板を該遊技盤取付枠に係止固定する係止構造を備えた弾球遊技機であって、前記係止構造は前記遊技盤取付枠に設けられる支持部材と該支持部材に軸着され前記重合面と平行な面内で自在に回動して前記機構板をその裏面で係止する係止部材とからなり、前記支持部材と前記係止部材との間に設けられる適宜停止手段により前記機構板が前記遊技盤取付枠に重合する前に前記係止部材を所定の仮止め位置で安定的に保持し得るようにした構成からなる。
【０００９】
前記弾球遊技機にあっては、例えば、前記支持部材に軸ピンが突設されると共に前記係止部材には該軸ピンに嵌着される嵌着筒部が設けられ、前記適宜停止手段としては、前記係止部材が所定の仮止め位置で安定的に保持し得るように、前記軸ピンの外周面にその中心軸と平行に設けられる突条と、前記嵌着筒部の内周面にその中心軸と平行に設けられ前記突条が嵌合し得る凹溝とからなる構成が採られる。
【発明の効果】
【００１０】
本発明に係る弾球遊技機は、係止構造の係止部材が適宜停止手段により所定の仮止め位置で安定的に保持し得るようにしたので、例えば、機構板を遊技盤の裏面に重合する前に係止部材の仮止め位置を開口部に合致する位置に簡単に設定できることとなり、機構板を遊技盤裏面に重ね合わせても、係止部材が開口部内に嵌入して機構板に衝突するようなことがない。よって、係止部材又は機構板が破損するという事故を未然に防止でき、しかも、作業性にも優れるという効果がある。
【発明を実施するための最良の形態】
【００１１】
以下、本発明に係る弾球遊技機の実施の形態を図面に基づき説明する。なお、弾球遊技機には、例えばパチンコ遊技機、アレンジボールまたは雀球遊技機があるが、本発明にあっては、その一例としてパチンコ遊技機について説明する。図１は本発明に係るパチンコ遊技機の裏面図。図２は機構板を外した前面枠の裏面斜視図である。
【００１２】
図において、１はパチンコ遊技機Ｐの機枠であって縦長方形枠状に成形されており、該機枠１に合成樹脂製の前面枠２が装着される。前面枠２には、そのほぼ中央に窓開口３が開設され、前面枠２の裏面に前記窓開口３を囲うようにして固定体である方形状の遊技盤取付枠４が前面枠２と一体に設けられる。この遊技盤取付枠４は、上部に位置する上辺部４ａと左右に位置する側辺部４ｂ，４ｃと下部に位置する腰板部４ｄとからなる。そして、図２鎖線に示すように裏側から腰板部４ｄの上面に乗るようにして前記遊技盤取付枠４内に遊技盤５が嵌入される。遊技盤５の裏面には、入賞球としてその裏面に導かれた弾球であるパチンコ球を寄せ集めパチンコ遊技機Ｐの外に排出するための入賞球集合カバー６が取付けられている。
【００１３】
前記遊技盤取付枠４の一側、すなわち図２では右側の側辺部４ｃに、遊技盤取付枠４に接離自在に重合して前記遊技盤５の裏面を覆う可動体である合成樹脂製の機構板７が軸着される。前記軸着部８は上下一対設けられ、しかも、各軸着部８は分離可能に設けられている。すなわち、各軸着部８は、側辺部４ｃに水平に突設され軸孔９を開設した固定板１０と、機構板７に前記固定板１０と対応位置して突設され、前記軸孔９に上から落とし込むように挿通して保持される支軸１１を垂下した可動板１２とからなり、軸孔９から支軸１１が抜け易くなっている。なお、前記固定板１０と可動板１２は、遊技盤取付枠４と機構板７との間で取付位置が逆であっても良い。
【００１４】
前記機構板７には、その中央部に前記入賞球集合カバー６が臨む開口１３が開設されており、裏面の上部にパチンコ球を貯留する球タンク１４が配置されている。また、球タンク１４の下方に、該球タンク１４から排出されるパチンコ球を一側に設けられたパチンコ球払出装置１６に供給するタンクレール１５が配設されている。前記パチンコ球払出装置１６の下方には、該パチンコ球払出装置１６から払い出されたパチンコ球を前側の打球供給皿（図示せず。）に排出するパチンコ球払出樋１７が設けられる。更に、その下方に、そこからオーバーフローしたパチンコ球を前側の余剰球貯留皿（図示せず。）に排出するパチンコ球排出樋１８が設けられている。
【００１５】
前記遊技盤取付枠４の上辺部４ａの一箇所および前記軸着部８と対向位置する左側の側辺部４ｂの上下二箇所に、それぞれ前記遊技盤５の裏面に重合した機構板７をその裏側から係止して固定する係止構造としての機構板固定具１９が設けられている。各機構板固定具１９は、図３に示すように遊技盤取付枠４の後端の重合面４ｅに設けられる合成樹脂製の支持部材２０と、該支持部材２０に軸着され遊技盤取付枠４の重合面４ｅと平行な面内で自在に回動して機構板７の外面である裏面に係止する合成樹脂製の係止部材２１とからなる。
【００１６】
前記支持部材２０は、縦長の取付板２２に軸ピン２３を後方へ突設して成形される。この軸ピン２３の外周面には、その中心軸と平行に複数の突条２４が設けられている。本実施の形態では、突条２４が等間隔に４本設けられる。また、軸ピン２３の後端面に螺子孔２３ａが開設されている。そして、前記取付板２２の両端部に設けられた螺子挿通孔２５と遊技盤取付枠４の重合面４ｅに設けられた螺子孔２６を合致させ、各螺子挿通孔２５を介して各螺子孔２６に螺子２７を螺合させることにより、支持部材２０が遊技盤取付枠４の重合面４ｅに固着される。この際、前記軸ピン２３は遊技盤取付枠４の重合面４ｅに対しほぼ直角に突設されることになる。
【００１７】
係止部材２１は、縦長の基板２８の一側上面に指で操作し得るようにするための指掛け部２９が突設され、その基板２８の下面には、図６に示すように球面状に突出する突部３０が設けられる。これは、機構板７の後記する凹窪部３６に嵌合して係止部材２１の係止位置をしっかりと保持するためのものである。また、基板２８の他側下面に前記軸ピン２３に嵌着される空洞状の嵌着筒部３１が突設されている。
【００１８】
前記嵌着筒部３１の通孔３１ａは前後に貫通しており、前記軸ピン２３の外径より僅かに大きい内径を有する。前記通孔３１ａの内周面に、前記軸ピン２３の外周面に設けられた各突条２４と対応位置して該各突条２４が嵌合し得る複数（等間隔に４本）の凹溝３２が通孔３１ａの中心軸と平行に設けられている。そして、各突条２４と各凹溝３２を合致させた状態で前記軸ピン２３に嵌着筒部３１を嵌着し、軸ピン２３の後端面に設けられた螺子孔２３ａに鍔付きの螺子３３を螺締する。これにより、係止部材２１が軸ピン２３に軸着され、該軸ピン２３を中心として遊技盤取付枠４の重合面４ｅと平行な面内で回動することとなる。
【００１９】
一方、図２、図５に示すように機構板７の外周縁には、前記機構板固定具１９と対応位置し、機構板７の裏面に沿って外周縁から外方へ突出する突片部３４が一体に設けられている。そして、各突片部３４に、前記機構板７が前記遊技盤５の裏面に重合したとき前記軸ピン２３が嵌入できかつ該機構板７の開閉動作に伴い前記係止部材２１が通過し得る開口部としての溝３５が設けられている。各溝３５は、遊技盤取付枠４の上辺部４ａ側にあっては縦方向に、また、側辺部４ｂ側にあっては横方向に成形され、いずれも突片部３４の外周縁部で開放している。
【００２０】
前記機構板固定具１９は、図４に示すように軸ピン２３に嵌着筒部３１を嵌着した状態であって、各突条２４が各凹溝３２に嵌合したときは、係止部材２１がカチッと鳴って止まり安定的にその位置で保持できるようになっている。また、各凹溝３２，３２間に各突条２４が位置しているときは、通孔３１ａの内周面に各突条２４が摺接して係止部材２１がきつく回動し得るようになっている。そして、前記係止部材２１は、９０度ごとにカチッといって止まり、各突条２４が各凹溝３２に嵌合する。しかも、これは音またはその係止部材２１を触る手の感触で簡単に解る。
【００２１】
例えば、図５に示す遊技盤取付枠４の左側の側辺部に配置される機構板固定具１９では、各突条２４が各凹溝３２に嵌合して係止部材２１がその鎖線位置にあるとき、該係止部材２１は機構板７を遊技盤５の裏面に重合した際に、ちょうど機構板７の溝３５と合致して該溝３５内に嵌入するようになっている。このときの係止部材２１の位置が所定の仮止め位置となり、係止部材２１と機構板７が衝突しない位置関係にある。
【００２２】
そこで、上辺部４ａ側の係止部材２１をほぼ鉛直方向、前記のように側辺部４ｂ側の係止部材２１をほぼ水平方向に回動位置させた仮止め位置で、各軸ピン２３が各溝３５内を通過でき、機構板７が支障なく開閉動作できる。各溝３５の幅は、前記軸ピン２３の外径寸法とほぼ同じ、正確には軸ピン２３に嵌着される嵌着筒部３１の外径寸法とほぼ同じ寸法に設定してある。３６は、機構板７における突片部３４の所定位置に設けられ前記突部３０が嵌り込む凹窪部である。なお、図示は省略するが、開口部である溝３５は長穴であっても良い。
【００２３】
前記遊技盤取付枠４における左側の側辺部４ｂの二箇所と右側の側辺部４ｃの一箇所に、それぞれ嵌入された遊技盤５を固定するための固定具３７が設けられている。これら固定具３７は、遊技盤取付枠４の重合面４ｅに軸杆３８により軸着され、遊技盤５の裏面に摺接するようにして自在に回動する。そして、遊技盤取付枠４の左・右側の側辺部４ｂ，４ｃから内側へ回動させ、遊技盤５の裏面に固定具３７を係止して圧接することにより、遊技盤５がしっかりと固定される。また、固定具３７を反対に左・右側の側辺部４ｂ，４ｃの外側へ回動させることにより、遊技盤５が支障なく取り外せることになる。
【００２４】
本発明に係るパチンコ遊技機Ｐは上記構成からなり、前面枠２の裏側から遊技盤取付枠４に遊技盤５を嵌入し、各固定具３７を内側へ回動させて圧接固定する。また、前面枠２裏側の一側に設けられた上下の各軸孔９に上側から各支軸１１を挿通する。これにより、機構板７が各軸着部８を中心として開閉自在に軸着される。また、このとき、例えば、遊技盤取付枠４における左側の側辺部４ｂの機構板固定具１９，１９にあっては、図５鎖線に示すように係止部材２１を回動させてこれと対応する機構板７側の溝３５と合致する仮止め位置に停止させておく。仮止め位置は、各係止部材２１がカチッと鳴って停止するので、音や手の感触でもって簡単に設定できる。遊技盤取付枠４の上辺部４ａの機構板固定具１９にあっても同様である。
【００２５】
そして、この状態で、機構板７を回動して遊技盤５の裏側に重合させる。これにより、各係止部材２１は各溝３５に嵌入するも機構板７に衝突するようなことはない。最後に、機構板７の裏面から後側に位置する各係止部材２１を回動させ、図６に示すようにその裏面の突部３０を機構板７の各凹窪部３６に嵌入させる。これにより、機構板７が各機構板固定具１９によってしっかりと固定されることになる。また、機構板７を開ける場合は、前記各係止部材２１を前記方向とは逆方向へ回動して前記仮止め位置に戻した状態で開ける。
【００２６】
このように、本発明は、各機構板固定具１９の係止部材２１が適宜停止手段により所定の仮止め位置で安定的に保持し得るようにしたので、係止部材２１を仮止め位置に簡単に設定できることになり、機構板７を遊技盤５裏面に重合させても、各係止部材２１が溝３５内に介入して衝突するようなことがない。よって、係止部材２１又は機構板７が破損するという事態を未然に防止できる。
【００２７】
本発明の固定体に可動体を係止固定する係止構造は、本実施の形態で示した遊技盤取付枠４に対する機構板７の重合固定に限らず、同様に重合固定する個所であれば、固定体としての透明板保持枠とこの裏面に重合される可動体としての透明板など同様な他の個所にも適用できる。また、係止構造の適宜停止手段も本実施の形態に限られるものではなく、更に、係止部材２１の仮止め位置間の角度、突条２４及び凹溝３２の個数は可動体側の構造によって自在に設定できること勿論である。
【図面の簡単な説明】
【００２８】
【図１】本発明に係るパチンコ遊技機の裏面図。
【図２】機構板を外した前面枠の裏面斜視図。
【図３】機構板固定具部位の分解斜視図。
【図４】機構板固定具の作用説明図。
【図５】パチンコ遊技機の上部の裏面図。
【図６】図５のＸ−Ｘ線断面図。
【符号の説明】
【００２９】
４                  固定体（遊技盤取付枠）
７                  可動体（機構板）
１９                係止構造（機構板固定具）
２０                支持部材
２１                係止部材
２３                軸ピン
２４                停止手段（突条）
３１                嵌着筒部
３２                停止手段（凹溝）
Ｐ                  弾球遊技機（パチンコ遊技機）
【図１】
2006014870.tif 000003
【図２】
2006014870.tif 000004
【図３】
2006014870.tif 000005
【図４】
2006014870.tif 000006
【図５】
2006014870.tif 000007
【図６】
2006014870.tif 000008